(57)【特許請求の範囲】
【請求項１】
貯水タンクと、
前記貯水タンクから送られた水を加熱して湯とする加熱手段と、
抽出原料を収容する原料容器と、前記原料容器を保持する容器保持部と、前記原料容器の上方を開閉可能に覆うとともに前記湯を吐出する吐出口を備えた蓋体とを有し、前記加熱手段で生成された湯を用いて前記抽出原料から飲料を抽出する飲料抽出部とを備え、
前記容器保持部は、前記原料容器の高さ方向の略全体に対向する側面と前記原料容器の底面が載置される底面とを有し、
前記蓋体が、前記原料容器と前記容器保持部とに一体的に固着可能であり、
前記飲料抽出部が当該装置の一側面に配置されていて、かつ、前記容器保持部の前記底面以外の部分は当該装置の前記一側面側の約半分が開放されていることで、前記原料容器を当該装置の前記一側面側から着脱可能な飲料抽出装置。
【請求項２】
貯水タンクと、
前記貯水タンクから送られた水を加熱して湯とする加熱手段と、
抽出原料を収容する原料容器と、前記原料容器を保持する容器保持部と、前記原料容器の上方を開閉可能に覆うとともに前記湯を吐出する吐出口を備えた蓋体とを有し、前記加熱手段で生成された湯を用いて前記抽出原料から飲料を抽出する飲料抽出部とを備え、
前記容器保持部は、前記原料容器の高さ方向の略全体に対向する側面と前記原料容器の底面が載置される底面とを有し、
前記原料容器と前記容器保持部とが、前記原料容器が前記容器保持部に正しく載置された際に互いに対向する一対の係持部材を備え、
前記蓋体が備える係持ピンが前記一対の係持部材に係持されることで、前記蓋体が前記原料容器と前記容器保持部とに一体的に固着される飲料抽出装置。
【請求項３】
前記原料容器と前記蓋体とがいずれも平面視円形状であり、前記蓋体が中心部に対して所定の角度回動可能な外周部を備え、
前記蓋体の前記外周部を回転させることで、前記一対の係持部と前記係持ピンとの係持を解除可能な、請求項２に記載の飲料抽出装置。
【請求項４】
前記飲料抽出部が当該装置の一側面に配置されていて、かつ、前記容器保持部の前記底面以外の部分は当該装置の前記一側面側の約半分が開放されていることで、前記原料容器を当該装置の前記一側面側から着脱可能な、請求項２または３に記載の飲料抽出装置。
【請求項５】
前記蓋体が、ヒンジ機構によって前記一側面側から後退する方向に回動することで前記原料容器の上方を開放する、請求項１から４のいずれかに記載の飲料抽出装置。
【請求項６】
前記原料容器として、ポッド内に収容された抽出原料を利用可能な第１の原料容器と、粉末とされた抽出原料をそのまま利用可能な第２の原料容器とのいずれか一方を選択可能な、請求項１から５のいずれかに記載の飲料抽出装置。
【請求項７】
前記貯水タンク内の水を前記加熱手段に送水する送水ポンプと、前記加熱手段と前記送水ポンプの動作を制御する制御手段とを備え、前記制御手段が前記飲料抽出部での飲料抽出工程を制御する、請求項１から６のいずれかに記載の飲料抽出装置。
【請求項８】
前記制御手段が制御する前記飲料抽出工程として、前記加熱手段で生成された蒸気を前記原料容器に供給するむらし工程を備えた、請求項７に記載の飲料抽出装置。
【発明の詳細な説明】
【技術分野】
【０００１】
本願は、水を加熱して生成された湯を抽出原料に供給することで、抽出原料から飲料を抽出することができる飲料抽出装置に関する。
【背景技術】
【０００２】
コーヒー専門店の台頭やコンビニエンスストアでのレギュラーコーヒー販売サービスの開始などにより、コーヒー豆から抽出されたコーヒーを楽しむ機会が増えている。これに伴ってユーザーの本物志向が刺激され、家庭やオフィスにおいても、インスタントではなくコーヒー豆を挽いたコーヒー粉末を用いて抽出されたコーヒーを手軽に楽しみたいというニーズが高まっている。このため、コーヒーカップ一杯分のコーヒーを手軽に抽出することができる飲料抽出装置であるコーヒーメーカーに対する需要が増大している。
【０００３】
このような、カップ一杯分のコーヒーを手軽に抽出するために、ポッド（ＰＯＤ）タイプとして供給されるコーヒー粉末と、これを装着して自動でコーヒーを抽出することができるコーヒーメーカーが普及している。ポッドタイプのコーヒー粉末は、一杯分のコーヒー粉末が不織布を用いた所定形状のフィルターカートリッジに詰められた状態で、一つ一つ密封して販売されているもので、コーヒー豆の販売会社が多数参加する日本カフェポッド協会が統一して規格を定めたカフェポッドなど、各種の仕様のものがある。ポッドタイプのコーヒー粉末は、コーヒーカップ一杯分のコーヒーを抽出するために必要なコーヒー粉末が封入され、抽出後にそのまま廃棄することができるという手軽さを備えている。
【０００４】
一方、市販されている比較的小容量のコーヒーメーカーは、ポッドやペーパーフィルタに入れられたコーヒー粉末に、貯水タンクに入れられた水を加熱して湯として供給することでコーヒーを抽出する。近年では、水を加熱することによって生じる蒸気圧によって湯をドリップさせる方法よりも、送水ポンプとこれを制御する制御手段とを備えて、コーヒー粉末への湯の供給度合いを正確に調整可能とする方法を採用したコーヒーメーカーが多用されつつある。さらに、水を加熱したときに生じる蒸気をコーヒー粉末に供給するタイミングを制御することで、湯によるドリップ前にコーヒー粉末を蒸らすむらし工程を付加することによって、よりおいしいコーヒーを煎れることができるコーヒーメーカーの開発が進んでいる。
【０００５】
このような送水ポンプと制御手段とを用いて、湯や蒸気を所定のタイミングでコーヒー粉末に供給するコーヒーメーカーとして、抽出原料であるコーヒー粉末をペーパーフィルタに直接入れたものを用いるもの（特許文献１参照）、カフェポッドを用いるもの（特許文献２参照）、ペーパーフィルタとポッドタイプとの両方を使用可能なもの（特許文献３参照）などが知られている。
【先行技術文献】
【特許文献】
【０００６】
【特許文献１】特開２００２−５１９１６号公報
【特許文献２】特開２０１３−２７４６９号公報
【特許文献３】特開２０１４−２１２９８７号公報
【発明の概要】
【発明が解決しようとする課題】
【０００７】
従来のコーヒーメーカーをはじめとする飲料抽出装置では、抽出原料であるコーヒー粉末を収容した原料容器に、所望量の湯や蒸気を供給しておいしいコーヒーを抽出するために、原料容器と湯や蒸気が供給される吐出口とが密着可能となるように、原料容器を飲料抽出装置内に閉じこめるように保持する機構が採用されている。
【０００８】
特に、一杯分のコーヒー抽出する際に便利なポッドタイプの抽出原料を使用するコーヒーメーカーでは、供給される湯や蒸気の漏れが生じないように、ポッドを収納した容器を装置内部に配置して抽出機構全体を蓋体で覆い、この蓋体に形成された吐出口をポッドの上面に密着させる構成が採用されていた。
【０００９】
このため、飲料抽出装置であるコーヒーメーカーの外形が大きくなることが避けられず、さらに、抽出原料が収容された容器の着脱には装置上方の蓋体を開放して装置上方から行うことを余儀なくされるなど、作業の手間がかかり、装置を比較的低い位置に載置することが必要となるなどの制約があった。
【００１０】
本開示はこのような従来技術の課題を解決するためのものであり、装置の構成を簡素化してコンパクト化が可能であり、かつ、抽出原料が収容された容器の脱着などの作業性が高い飲料抽出装置を得ることを目的とする。
【課題を解決するための手段】
【００１１】
上記課題を解決するため、本願で開示する飲料抽出装置は、貯水タンクと、前記貯水タンクから送られた水を加熱して湯とする加熱手段と、抽出原料を収容する原料容器と、前記原料容器を保持する容器保持部と、前記原料容器の上方を開閉可能に覆うとともに前記湯を吐出する吐出口を備えた蓋体とを有し、前記加熱手段で生成された湯を用いて前記抽出原料から飲料を抽出する飲料抽出部とを備え、前記蓋体が、前記原料容器と前記容器保持部とに一体的に固着可能である。
【発明の効果】
【００１２】
本願で開示する飲料抽出装置は、飲料抽出部が蓋体と原料容器と容器保持部とを有し、蓋体が、原料容器と容器保持部とに一体的に固着可能である。このため、飲料抽出装置を小型化、簡素化が容易な構成とすることができ、原料容器の飲料抽出装置への着脱も容易に行うことができる。
【図面の簡単な説明】
【００１３】
【図１】実施の形態にかかるコーヒーメーカーの形状を示す斜視図である。
【図２】実施の形態にかかるコーヒーメーカーの構成を説明する断面図である。
【図３】実施の形態にかかるコーヒーメーカーのドリップ部の構成を説明する分解図である。
【図４】実施の形態にかかるコーヒーメーカーにおいて、原料としてポッドタイプのコーヒー粉末を用いる場合の、原料容器の構成を説明する分解斜視図である。
【図５】実施の形態にかかるコーヒーメーカーにおいて、原料として挽かれたコーヒー粉末を直接用いる場合の、原料容器の構成を説明する分解斜視図である。
【図６】実施の形態にかかるコーヒーメーカーにおいて、原料容器が取り外された状態を示す斜視図である。
【図７】実施の形態にかかるコーヒーメーカーにおいて、原料容器が取り外された状態を示す断面図である。
【図８】実施の形態にかかるコーヒーメーカーのポッドタイプの原料を利用する場合の原料容器の外観を示す斜視図である。図８（ａ）が、斜め上方側から、図８（ｂ）が斜め下方側から見た状態を示す。
【図９】実施の形態にかかるコーヒーメーカーのコーヒー粉末を直接用いる場合の原料容器の外観を示す斜視図である。図９（ａ）が、斜め上方側から、図９（ｂ）が斜め下方側から見た状態を示す。
【図１０】実施の形態にかかるコーヒーメーカーの、蓋体のロック機構を説明する図である。図１０（ａ）が、ドリップ部の要部拡大正面図である。図１０（ｂ）が、ドリップ部の要部拡大斜視図である。
【発明を実施するための形態】
【００１４】
本願で開示する飲料抽出装置は、貯水タンクと、前記貯水タンクから送られた水を加熱して湯とする加熱手段と、抽出原料を収容する原料容器と、前記原料容器を保持する容器保持部と、前記原料容器の上方を開閉可能に覆うとともに前記湯を吐出する吐出口を備えた蓋体とを有し、前記加熱手段で生成された湯を用いて前記抽出原料から飲料を抽出する飲料抽出部とを備え、前記蓋体が、前記原料容器と前記容器保持部とに一体的に固着可能である。
【００１５】
本開示にかかる飲料抽出装置は上記の構成を備えることで、蓋体が原料容器と容器保持部とに一体的に固着可能であり、蓋体と原料容器と容器保持部とを有する飲料抽出部を、簡易な構成で実現することができる。この結果、飲料抽出装置全体の構成を簡素化、かつ、小型化することができ、低コストで飲料抽出装置を実現することができる。また、ユーザーが、飲料抽出部への原料容器の載置と取り外しとを容易に行うことができる、操作性の優れた飲料抽出装置を実現することができる。
【００１６】
本開示にかかる飲料抽出装置において、前記原料容器と前記容器保持部とが、前記原料容器が前記容器保持部に正しく載置された際に互いに対向する一対の係持部材を備え、前記蓋体が備える係持ピンが前記一対の係持部材に係持されることで、前記蓋体が前記原料容器と前記容器保持部とに一体的に固着されることが好ましい。このようにすることで、蓋体が原料容器と容器保持部とに一体的に固着される構成を実現することができる。
【００１７】
上記構成において、前記原料容器と前記蓋体とがいずれも平面視円形状であり、前記蓋体が中心部に対して所定の角度回動可能な外周部を備え、前記蓋体の前記外周部を回転させることで、前記一対の係持部と前記係合ピンとの係合を解除可能とすることがより好ましい。このようにすることで、ユーザーによる蓋体と原料容器および容器保持部との一体化固着動作を、より簡易に、かつ、確実に行うことができる。
【００１８】
また、前記飲料抽出部が当該装置の一側面に配置されていて、かつ、前記容器保持部は当該装置の前記一側面側が開放されていることで、前記原料容器を当該装置の前記一側面側から着脱可能な構成とすることが好ましい。このようにすることで、ユーザーによる原料容器の飲料抽出装置への着脱動作を、より簡易に行うことができる。
【００１９】
この場合において、前記蓋体が、ヒンジ機構によって前記一側面側から後退する方向に回動することで前記原料容器の上方を開放することが好ましい。このようにすることで、ユーザーによる原料容器の着脱時の蓋体の開放動作を、より簡素化することができる。
【００２０】
また、前記原料容器として、ポッド内に収容された抽出原料を利用可能な第１の原料容器と、粉末とされた抽出原料をそのまま利用可能な第２の原料容器とのいずれか一方を選択可能とすることが好ましい。このようにすることで、一杯分の飲料を抽出可能な飲料抽出装置として、さまざまな原料を利用可能な装置とすることができる。
【００２１】
さらに、前記貯水タンク内の水を前記加熱手段に送水する送水ポンプと、前記加熱手段と前記送水ポンプの動作を制御する制御手段とを備え、前記制御手段が前記飲料抽出部での飲料抽出工程を制御することが好ましい。このようにすることで、制御部による高度な抽出動作制御が可能な飲料抽出装置を実現することができる。
【００２２】
この場合において、前記制御手段が制御する前記飲料抽出工程として、前記加熱手段で生成された蒸気を前記原料容器に供給するむらし工程を備えたことが好ましい。飲料の抽出前に原料を蒸らすことで、飲料の抽出効率を向上させて、よりおいしい飲料を抽出可能な飲料抽出装置を実現することができる。
【００２３】
以下、本願で開示する飲料抽出装置について図面を参照して説明する。
【００２４】
（実施の形態）
以下では、本願で開示する飲料抽出装置の実施の形態として、抽出原料としてコーヒー粉末を用いるコーヒーメーカーを例示して説明する。
【００２５】
本実施形態にかかるコーヒーメーカーは、レギュラーコーヒー用のポッドタイプのコーヒー原料を用いて一杯分のコーヒーを抽出可能であるとともに、挽かれたコーヒー粉末を用いても一杯分のコーヒーを抽出可能なコーヒーメーカーである。
【００２６】
図１に、本実施形態にかかるコーヒーメーカーの外観構成を示す。
【００２７】
本実施形態にかかるコーヒーメーカー１００は、本体部１と本体部１の側方に配置された貯水タンク２とを備えている。
【００２８】
本体部１は、全体として嵩高の略直方体形状をしており、本体部１の内部には、貯水タンク２からの水を送水する送水ポンプや、送水された水を加熱するボイラー部などを備えた加熱手段が配置されている。本体部１の幅狭の側面である手前側側面（一側面）の上部には、本体部１から手前側に突出するようにして全体の平面視形状が円形の飲料抽出部であるドリップ部１１が配置されている。また、本体部１の手前側側面の下部には、ドリップ部１１と本体部１の高さ方向を介して対向するように、手前側に突出して平面視形状が円形のトレイ１２が配置されている。本体部１の手前側側面は、ドリップ部１１とトレイ１２との間の部分が、ドリップ部１１とトレイ部１２の形状に合わせて円筒形状に湾曲した湾曲凹面１３となっている。
【００２９】
なお、図１において、トレイ１２はその底部が本体部１の底部と同じ高さとなるように、最も下側の位置に配置された状態が示されているが、載置されるコーヒーカップ等の高さに応じてトレイ１２の上下方向位置を可変して固定できる構造とすることができる。このようにすることで、ドリップ部１１の下端に位置する吐出口とコーヒーカップ等との距離が大きくなりすぎて、ドリップ部１１から供給されるコーヒーが撥ねてコーヒーカップからこぼれてしまうことを回避することができる。
【００３０】
本実施形態のコーヒーメーカー１００では、本体部１の上面に操作部１４が配置されている。操作部１４には、ユーザーが好みに応じて抽出されるコーヒーの濃度を選択するなど、各種の抽出メニューを選択して動作を開始させるスイッチボタン１５が配置されている。なお、詳細の説明は省略するが、操作部１４にはスイッチボタン１５の他に、コーヒーメーカー１００の動作状態や、ドリップ部１１にコーヒー粉末を収容した原料容器が正しく装着されていないこと、貯水タンクに所定量の水が入っていないことなどの各種の異常状態を表示するランプ、さらには、異常状態を含むコーヒーメーカー１００の動作状態を表示する表示素子などを配置することができる。
【００３１】
本実施形態のコーヒーメーカー１００では、貯水タンク２は、本体部１の幅広側の側面、すなわち、図１において向かって右側の側面に並立した円筒形状として形成されている。貯水タンク２は、着脱可能で内部に水を溜めることができるタンク部２ａと、本体部１の底部部分と接続されるとともに上部にタンク部２ａが載置されるベース部２ｂとから構成されていて、タンク部２ａをベース部２ｂに正しく載置すると、ベース部２ｂ内に配置された図示しない給水管を介して、タンク部２ａの内部の貯水空間と本体部１内の給湯機構とが接続されるようになっている。
【００３２】
なお、本実施形態のコーヒーメーカー１００では、デザイン上の観点から貯水タンク２を本体部１の側方に並立する円筒形状としているが、貯水タンク２の形状には制約はない。また、貯水タンクの配置位置としても、本体部１の上部または側面の一部を切り欠いて貯水タンクを配置する部分を形成した構成や、本体部１の内部に貯水タンクを配置する構成など、各種の構成を採用することができる。さらに、貯水タンク２をベース部２ｂとベース部２ｂに対して着脱可能なタンク部２ａとの２つの部材で構成するのではなく、１つの部材もしくは３つ以上の部材からなる貯水タンク２を使用することができる。さらに、貯水タンク２を構成する部材にも制限はなく、貯水タンク２の側面に透明な窓部を設けてタンク部２ａ内の水の量を容易に確認することができる構成とするなど、所定量もしくは所定量以上の水を収容することができるものであれば、貯水タンク２として従来周知の各種形状、各種構成のものを使用することができる。
【００３３】
次に、図２を用いて、本実施形態のコーヒーメーカー１００の本体部１内部の構成と、ドリップ部１１の構成を説明する。
【００３４】
図２は、本体部とドリップ部との断面構成を示す断面図であり、貯水タンクが配置されている側面側から見た状態を示している。
【００３５】
図２に示すように、本体部１の内部には、電源配置部２１、流量センサ２２、送水ポンプ２３、ボイラー部２４、給湯管２５、操作基板２６が配置されている。
【００３６】
電源配置部２１は、本体部１内部の底面側に形成されていて、内部には、商用電源に接続される図示しない電源ケーブルに接続されて、本体部１内部に配置された送水ポンプ２３やボイラー部２４の加熱ヒータなどを駆動する電源を供給する電気回路部品が配置された電源回路基板２１ａが配置されている。
【００３７】
流量センサ２２は、電源配置部２１の上部に配置されていて、図２では現れない配管を介して貯水タンク２と接続されていて、貯水タンク２のタンク部２ａに貯水されている水は、流量センサ２２で流量を計測された後に図２では一部のみが現れている配管を介して送水ポンプ２３に供給される。
【００３８】
送水ポンプ２３は、電源配置部２１の上部に流量センサ２２と並ぶように配置されていて、貯水タンク２のタンク部２ａ内の水を、流量センサ２２と流路を形成する配管を介して吸引して、図２において一部が現れている配管を介してボイラー部２４へと送水する。
【００３９】
ボイラー部２４は、流量センサ２２のさらに上部の本体部１内部のやや上方よりの部分に配置されていて、送水ポンプ２３により圧送されてきた水が流れる流路と、流路を取り巻くように配置されて流路内の水を加熱するヒータとを備えている。ボイラー部２４で流路内の水がヒータにより加熱されて生成された蒸気や湯は、本体部１内部の上端部分に向かって配置された給湯管２５を通って、ドリップ部１１へと送られる。
【００４０】
本体部１の上面に形成された操作部１４の下側には、操作部１４に配置されたスイッチボタン１５に接続されたスイッチング素子が搭載された操作基板２６が配置されている。
【００４１】
本実施形態にかかるコーヒーメーカー１００では、送水ポンプ２３やボイラー部２４を制御して所定の条件でコーヒーの抽出を行う、図示しない制御回路が電源配置部２１の電源回路基板２１ａに搭載されている。制御回路は、流量センサ２２の出力である流量信号や、ボイラー部２４内における蒸気や湯の温度を検知する温度センサからの信号などを受信して、送水ポンプ２３の総水量や送水タイミング、ボイラー部２４における加熱度合いなどを制御する。また、操作基板２６に搭載されたスイッチング素子からの信号は、図示しないコネクタ素子などを介して制御回路に伝達される。
【００４２】
このような制御回路を備えることで、本実施形態にかかるコーヒーメーカー１００では、操作部１４の操作ボタン１５を介して行われるユーザーからの指示に応じて、例えば、湯を供給するドリップ工程の前に所定時間蒸気のみをコーヒー粉末に供給するむらし工程を行うなど、抽出量や抽出濃さに応じておいしいコーヒーを抽出する抽出工程を自動的に実行することができる。
【００４３】
制御回路は、マイクロコンピュータや各種論理回路により構成でき、制御ＩＣとしてチップ化されて構成することができる。
【００４４】
なお、制御回路は、比較的熱に弱い電子回路で構成されるため、発熱部材であるボイラー部２４から隔離されるとともに、水漏れや高温となる畏れがある給水機構に対して隔離された、本体部１内部の上方に配置することが好ましい場合がある。このため、例えばスイッチング素子などが搭載された操作基板２６上に、制御回路を配置することができる。また、適切な熱遮蔽処置や防水処置を採ることで、本体部１内部の適切な場所に配置された制御回路基板上に、制御回路を搭載することができる。
【００４５】
本体部１の上端側の図２中左側端部（図１における手前側の端部である一側面）には、ドリップ部１１を構成する蓋体３０がヒンジ機構３３によって、前記左側端部から後退する方向である、図２中矢印Ａまたは矢印Ｂの方向に回動可能に取り付けられている。
【００４６】
蓋体３０の内部には、給湯管２５に接続されたドリップ配管３４が形成され、ドリップ配管３４の先端は蓋体３０の内側中央に配置された吐出口３５に接続されている。なお、本実施形態のコーヒーメーカー１００では、蓋体３０は平面視円形状に形成されていて、中央の内側面に吐出口３５を備えた中心部３２と、中心部を取り巻くように同軸状に形成されて、中心部３２に対して所定の角度回動可能な外周部３１とから形成されている。
【００４７】
蓋体３０は、図中矢印Ｂ方向に回動した状態、すなわち図２に示すように水平となっている状態で、容器保持部であるホルダ受け部５０との間に配置された原料容器４０としての、容器ホルダ４１、および、容器ホルダ４１の内部に配置される原料保持部材（図２ではポッドタイプに対応したポッド用アダプタ４２が記載されている）とを挟み込んだ状態となる。このように蓋体３０とホルダ受け部５０とで原料容器４０を挟み込んだ状態で固着させ、吐出口３５から所定のタイミングで所定量の蒸気や湯が吐出されることで、原料保持部材に収容されたコーヒー粉末からコーヒーが抽出される。
【００４８】
なお、本実施形態のコーヒーメーカー３０に用いられる蓋体３０は、例示した平面視円形状のものに限られず、例えば平面視したときに全体として正方形のものなど、コーヒーメーカーのデザイン性と原料容器を開閉可能に覆う機能性との観点から、その平面形状を適宜選択することができる。また、蓋体３０の開閉機構についても、ヒンジ機構を用いて回動可能なものに限られず、ロックを解除したときに完全に取り外しが可能な形態の蓋体とすることもできる。さらに、蓋体を回動可能とする場合でも、回動方向は、図示したような本体部の上面に対して手前側と奥側とに回動するものに限られず、本体部の上面の平面方向（水平方向）に回動可能であるものなど、各種の形態を採用することができる。
【００４９】
図３は、本実施形態にかかるコーヒーメーカーにおける、ドリップ部の構成を説明するための分解図である。
【００５０】
図３に示すように、ドリップ部１１には、ヒンジ機構３３（図２参照）により図中後方側へと回動してドリップ部１１の上方を開閉可能に覆うことができる蓋体３０と、本体部１の手前側側面の底部に配置されたトレイ１２と所定の間隔を有してこれと対向するように配置されたホルダ受け部５０との間に、抽出原料を収容する原料容器４０（４０ａ、４０ｂ）が配置されて構成される。
【００５１】
本実施形態のコーヒーメーカー１００では、ホルダ受け部５０に搭載される容器ホルダ４１と、容器ホルダ４１と重ね合わせることで容器ホルダ４１の内側の所定位置に保持される原料保持部材とが、蓋体３０とホルダ受け部５０との間に挟み込まれる原料容器４０を構成する。ポッドタイプの収容体に収容されたコーヒー粉末を用いてドリップする場合には、ポッド用アダプタ４２が原料保持部材として使用され、原料容器４０ａを構成する。また、ミルなどによって挽かれたコーヒー粉末を用いてドリップする場合には、散水板４３とフィルタケース４４とが積層されて原料保持部材となり、容器ホルダ４１内に配置されて原料容器４０ｂを構成する。
【００５２】
なお、蓋体３０の内側面、すなわち、原料容器４０に対向する面には、中央部に形成された吐出口３５の周囲に中央パッキン３６が、さらに、中央パッキン３６の周囲には中央パッキン３６と同心円状の環状パッキン３７が配置されている。また、蓋体３０の回動可能な外周部３１の内側面には、係持ピン３８が原料容器４０に向かって突出形成されていて、この係持ピン３８が原料容器４０に形成された第１の係持部材とホルダ受け部５０に形成された第２の係持部材とに嵌合することで、蓋体３０が原料容器４０とホルダ受け部５０とにしっかりと固着される。蓋体３０が原料容器４０とホルダ受け部５０とに一体的に固着されることで、中央パッキン３６と環状パッキン３７とが原料容器４０の上面部分に密着して、吐出口３５と抽出原料が収容されたポッドの上面もしくは原料保持部材の上面との間を、外部の空間に対して密閉することができる。
【００５３】
なお、図３に示すように、本体部１の貯水タンク２が隣接して配置されていない側（図３における向かって左側）の下部から、商用電源に接続される電源プラグ１６が延出している。電源プラグ１６は、一端が本体部１内部の電源配置部２１の電源回路基板２１ａに接続されていて、コーヒーメーカー１００に電源を供給する。なお、コーヒーメーカーを収納する時の便宜を図るために、電源プラグ１６とこれに接続されたコードを、本体部１の内部に収容可能な構成とされる場合がある。
【００５４】
次に、ドリップ部１１の構成について説明する。
【００５５】
図４は、抽出原料としてポッドを用いる場合に使用される原料保持部材を備えた原料容器の構成を説明する分解斜視図である。
【００５６】
図４に示すように、抽出原料としてポッドタイプの容器に収容されたものを使用する場合は、容器ホルダ４１内に、ポッド用アダプタ４２を装着して原料容器４０ａを形成する。
【００５７】
容器ホルダ４１は、底面側にいくにつれて少しずつ径小となる側面を有する有底略円筒状の容器であり、内側に形成される空間４１ａの上部に外側に広がる円環状のつば部４１ｂが形成され、つば部４１ｂの外周には上方へ向かう壁部４１ｃが形成されている。壁部４１ｃの一部には、上端から外側方向に延在する幅広の把持部４１ｄが形成されていて、ユーザーが容器ホルダ４１を容易に持つことができるようになっている。また、把持部４１ｄが形成されている側に対向する部分では、壁部４１ｃに切り欠き部４１ｅが形成されていて、切り欠き部４１ｅが形成されている部分では壁部４１ｃは形成されていない。
【００５８】
なお、図４での図示は省略するが、容器ホルダ４１の底面４１ｇの中央には貫通孔が形成されていて、抽出されたコーヒーは、この貫通孔を通ってトレイ１２上のコーヒーカップに注がれる。
【００５９】
ポッド用アダプタ４２は、有底略円筒状の容器である。ポッド用アダプタ４２は、内側に形成される空間４２ａの上部に外側に向かって張り出す円環状のつば部４２ｂが形成され、つば部４２ｂの外周部分は、上方に向かって延出する壁部４２ｃとなっている。つば部４２ｃの一部分から外方に向けて、把持部４２ｄが形成されていて、ユーザーは、把持部４２ｄを用いてポッド用アダプタ４２を容易に把持することができる。
【００６０】
ポッド用アダプタ４２の底面４２ｇにも貫通孔が形成されているため、ポッド用アダプタ４２に載置された状態のポッドから抽出されたコーヒーは、この底面４２ｇの貫通孔を通過して容器ホルダ４１の内部に流れ、容器ホルダ４１の底面４１ｇの貫通孔を介してコーヒーカップに注がれる。
【００６１】
ポッド用アダプタ４２の壁部４２ｃの外径は、容器ホルダ４１の壁部４１ｃの内径に対してわずかに小さく形成されている。このため、容器ホルダ４１の内側にポッド用アダプタ４２を配置すると、ポッド用アダプタ４２のつば部４２ｂの裏側が容器ホルダ４１のつば部４１ｂ上に載置されることとなり、ポッド用アダプタ４２を容器ホルダ４１の内側に配置することができる。
【００６２】
ポッド用アダプタ４２の壁部４２ｃの上端部と容器ホルダ４１の壁部４１ｃの上端部とは、両者が重ね合わせられた際にほぼ同一の高さとなるように形成されているため、ポッド用アダプタ４２と容器ホルダ４１とを重ね交わせた際に、両者をより一体のものに近い状態で取り扱うことができる。また、容器ホルダ４１の壁部４１ｃに形成された切り欠き部４１ｅの幅がポッド用アダプタ４２の把持部４２ｄの幅とほぼ同じとなっており、さらに、容器ホルダ４１のつば部４１ｂに形成された切り欠き４１ｆと、ポッド用アダプタ４２の把持部４２ｄの根本部分に形成された下側への突起部４２ｆとが嵌合するようになっている。このため、容器ホルダ４１内に載置した際には、ポッド用アダプタ４２の把持部４２ｄが容器ホルダ４１の把持部４１ｄと互いに対向する方向になるよう、両者の向きが整えられる。このようにして、容器ホルダ４１とポッド用アダプタ４２とを重ね合わせた際には、両者の位置関係が正確に定まることとなる。
【００６３】
なお、容器ホルダ４１の上部側面には、蓋体３０の係持ピン３８と係合することが可能な第１の係持部材４１ｈが形成されている。また、ポッド用アダプタ４２のつば部４２ｂの外側には、壁部４２ｃよりも高く形成された一対の位置規制衝立４２ｈが形成されている。位置規制衝立４２ｈは、蓋体３０が原料容器４０ａを覆った際に、蓋体３０の内面側に形成された位置決め溝と嵌合して、蓋体３０と原料容器４０ａと間の位置関係をより正確に規制することができる。また、ポッド用アダプタ４２の把持部４２ｄの上面側部分には、所定の広さを有する平坦面４２ｅが形成されている。蓋体３０が原料容器４０ａを覆った際に、蓋体３０のヒンジ機構３３近傍に配置された押圧部材が、この平坦面４２ｅを押圧することで、蓋体３０と原料容器４０ａの密着性をより向上することができる。
【００６４】
図５は、抽出原料としてコーヒー粉末を直接用いる場合の、原料保持部材を備えた原料容器の構成を説明する分解斜視図である。
【００６５】
本実施形態のコーヒーメーカー１００では、挽かれた状態のコーヒー粉末を直接用いてドリップする場合には、ポッド用ホルダ４２とこれに載置されるポッド部材に替えて、散水板４３とコーヒー粉末を収容するフィルタケース４４とが用いられる。この場合には、散水板４３と内部に所定量のコーヒー粉末を収容したフィルタケース４４とを重ね合わせて容器ホルダ４１内に収容することで原料容器４０ｂが構成され、原料容器４０ｂが、蓋体３０とホルダ受け部５０との間に保持されることでドリップ部１１が構成される。
【００６６】
容器ホルダ４１は、図４に示したポッドタイプの容器に収容されたコーヒー粉末を用いる場合と同じ部材であるため、説明は省略する。
【００６７】
散水板４３は、全体が円板形状として形成されていて、上面４３ａの外周部分に上方に向かう壁部４３ｂが形成されている。上面４３ａは所定幅の円環状に形成されていて、上面４３ａの内側部分には下方側に突出した下方突出部４３ｃが形成されている。下方突出部４３ｃの中央には、小径の上方突出部４３ｄが形成されていて、上方突出部４３ｄの中央には円形の凹面４３ｅが形成され、凹面４３ｅには開口４３ｆが複数個形成されている。
【００６８】
上面４３ａの一部分からは、外方に伸びる把持部４３ｇが形成され、ユーザーは把持部４３ｇを利用することで容易に散水板４３を持つことができる。把持部４３ｇの上面側部分には、所定の広さを有する平坦面４３ｈが形成されている。この平坦面４３ｈは、図４で説明したポッド用アダプタ４２の把持部４２ｄ上面の平坦面４２ｅと同様に、蓋体３０が原料容器４０ａを覆った際に、蓋体３０のヒンジ機構３３近傍に配置された押圧部材がこの平坦面４３ｈを押圧することで、蓋体３０と原料容器４０ｂの密着性をより向上することができる。また、散水板４３の把持部４３ｇとは反対側の壁部４３ｄには壁部４３ｄよりもさらに高く形成されたつまみ部４３ｉが形成されていて、ユーザーが散水板４３を持つときに、把持部４３ｇに加えてつまみ部４３ｉを補助的に利用することができる。
【００６９】
フィルタ部材４４は、上方に向かって経大となる略カップ形状の部材である。
【００７０】
フィルタ部材４４の上部には環状のつば部４４ａが外方に向かって形成され、つば部４４ａの外周には上方に向かう壁部４４ｂが形成されている。フィルタ部材４４の側面は、所定の間隔で配置された柱状部材４４ｃと柱状部材４４ｃの間に配置されたメッシュ部材４４ｄで構成されていて、フィルタ部材４４の内部に所定量のコーヒー粉末を入れて一杯分のコーヒーを抽出することができる。
【００７１】
フィルタ部材４４ｄとしては、一例として、ステンレス製で２００番手のメッシュを用いることができる。なお、フィルタ部材４４ｄとしては、ステンレスメッシュの他にもナイロンメッシュなどのメッシュ部材を用いることができる。さらに、メッシュの番手としても、抽出される飲料の好適な抽出速度を考慮して、１００番程度から３００番程度の所定の粗さのメッシュを用いることができる。
【００７２】
つば部４４ａの一部分にはつば部４４ａより外方へ延出する把持部４４ｅが形成され、把持部４４ｅの形成部分では、壁部４４ｂが形成されずに切り欠き部４４ｆとなっている。
【００７３】
壁部４４ｂの内径は、散水板４３の壁部４３ｂの外径よりもわずかに大きく形成されているため、フィルタ部材４４の上部に散水板４３を載置することができる。また、フィルタ部材４４の把持部４４ｅの幅は、容器ホルダ４１の切り欠き４１ｆの幅よりもわずかに小さく形成され、さらに、散水板４３の把持部４３ｇの裏面内部に収容可能な大きさとなっている。また、フィルタ部材４４の切り欠き部４４ｆの幅が、散水板４３の把持部４３ｇの幅よりもわずかに大きく形成されている。このため、容器ホルダ４１とフィルタ部材４４と散水板４３とを、回転方向における互いの位置合わせを行った状態で、この順に積層することができる。
【００７４】
なお、フィルタ部材４４のつば部４４ａの外側には、壁部４４ｂよりも高く形成された一対の位置規制衝立４４ｇが形成されている。位置規制衝立４４ｇは、ポッド用アダプタ４２の位置規制衝立４２ｈと同様に、蓋体３０が原料容器４０ｂを覆った際に、蓋体３０の内面側に形成された位置決め溝と嵌合して、蓋体３０と原料容器４０ｂと間の位置関係をより正確に規制することができる。
【００７５】
本実施形態にかかるコーヒーメーカー１００では、抽出原料としてポッドを用いる場合には、図４に示したポッド用アダプタ４２を容器ホルダ４１に載置して原料容器４０ａを構成してドリップ部１１に配置し、抽出原料としてコーヒー粉末を直接用いる場合には、図５に示した散水板４３とフィルタ部材４４とを積層して容器ホルダ４１に載置して原料容器４０ｂを構成してドリップ部１１に配置することで、いずれの抽出原料を用いた場合でも同様に簡易にコーヒーを抽出することができる。このとき、本実施形態にかかるコーヒーメーカー１００においては、抽出原料としてポッドを用いる場合とコーヒー粉末を直接用いる場合とのいずれの場合でも、ユーザーは、内部にコーヒー粉末を収容した状態の原料容器４０（４０ａ、４０ｂ）を容器ホルダ４１の把持部４１ｄを用いて一体的に取り扱うことができる。
【００７６】
なお、上記詳細に例示した原料容器４０ａ、４０ｂの構成は例示に過ぎない。蓋体３０とホルダ受け部５０との間に載置されて内部に抽出原料を保持でき、蓋体３０に形成された吐出口３５から供給される湯を用いて飲料を抽出することができる各種形態の原料容器４０を使用することができる。なお、本実施形態のコーヒーメーカー１００のように、抽出原料として異なる形態で供給される原料を用いる場合には、原料容器４０を複数部品の組み立て体として、一部または全部の部材を交換可能に組み立てて、原料容器として求められる外形形状と、内部に配置される原料を保持する原料保持部として求められる形状とが両立できるように設計することが好ましい。
【００７７】
また、図４および図５に示すように、本実施形態のコーヒーメーカー１００では、異なる原料を用いた場合の原料容器４０（４０ａ、４０ｂ）の外形をほぼ同じとすることで、いずれの原料容器４０を用いた場合でも、蓋体３０とホルダ受け部５０との間に同じ状態で配置固着されるようになっている。なお、原料容器４０の上部または側部などの外形部分に突起や凹所などの指標部を設け、本体部１に設けた検知手段によってこの指標部の形状を読み取ることで、ドリップ部１１に載置されている原料容器４０の種類を判別可能とすることができる。この場合には、制御部が判別結果に応じて、それぞれの原料によって異なる抽出工程を自動的に実行可能とすることができる。
【００７８】
図６は、原料容器が取り外された状態のコーヒーメーカーを示す斜視図である。また、図７は、同じく原料容器が取り外された状態のコーヒーメーカーを示す断面図である。図７の断面図は、図２と同じく貯水タンク側の側面から見た断面の構成を示している。
【００７９】
本実施形態のコーヒーメーカー１００では、本体部１の幅狭側面（一側面）側に配置されたドリップ部１１の蓋体３０がヒンジ機構３３により回動可能となっていて、図６および図７に示すように、蓋体３０はドリップ部１１の原料容器４０の上方を覆った閉塞状態から、一側面から後退する方向に所定の角度（一例として約５０度）開いた開放状態へと移行できるようになっている。
【００８０】
ドリップ部１１において、原料容器４０が装着されるホルダ受け部５０は、円板状の底面５１と上方に行くにつれて経大となる傾斜面として形成された側面５２と、側面５２の上端部に形成された外方へ広がる円環状のつば部５３と、つば部５３の外周部分から上方へと延出された壁部５４とで構成されている。
【００８１】
ホルダ受け部５０の底面５１には、中央に底面５１と同心円状に開口５５が形成されている。また、図６および図７に示すように、ホルダ受け部５０の側面５２、つば部５３、壁部５４は、いずれも本体部１側のみに形成されていて、ホルダ受け部５０の側面５２、つば部５３、壁部５４は、いずれも底面５１の中心を通る中心線に沿った切断線で、本体部１の一側面の側に位置する約半分が切断されて開放された形状となっている。
【００８２】
図８および図９は、本実施形態のコーヒーメーカーにおける原料容器として、容器ホルダに原料保持部材が装着されて組み立てられた状態を示す斜視図である。図８は、抽出原料としてポッドが用いられる場合の原料容器を示し、図８（ａ）が原料容器を側面上方から見た斜視図、図８（ｂ）が原料容器を側面下方から見た図である。また、図９は、抽出原料としてコーヒー粉末が直接用いられる場合の原料容器を示し、図９（ａ）が原料容器を側面上方から見た斜視図、図９（ｂ）が原料容器を側面下方から見た図である。
【００８３】
２種類の原料容器４０ａ、４０ｂそれぞれの形状について、図４および図５を用いて詳細に説明したとおり、本実施形態のコーヒーメーカー１００では、ポッドを用いる場合の原料容器４０ａとコーヒー粉末をそのまま用いる場合の原料容器４０ｂとは、それぞれを構成する部材は異なるものの、いずれも同じ容器ホルダ４１に載置され、原料容器４０として組み立てられた状態で同じ外観形状となるように構成されている。
【００８４】
また、本実施形態のコーヒーメーカー１００における容器ホルダ４１は、底面側にいくにつれて少しずつ径小となる側面を有する略円筒状に形成されており、原料容器４０として組み立てられた場合において、ユーザーが把持する把持部４１ｄの反対側には側面から平板状に伸延する部材として把持部４２ｄと４３ｇのみが形成された形状となっている。このため、本体部１の一側面である幅狭側の側面（図６における左手前側側面、図７における左側側面）に対峙した状態のユーザーが、ホルダ保持部５０上に原料容器４０を差し込むように載置しようとした場合に、ホルダ保持部５０と干渉する部分が無くユーザーは、原料容器４０を真っ直ぐに押し込むようにして、ホルダ受け部５０上に位置させることができる。
【００８５】
一方、容器ホルダ４１の底面４１ｇには、底面４１ｇに形成された貫通孔４１ｊを取り巻くように筒状突起部４１ｉが形成されていて、この筒状突起部４１ｉは、ホルダ受け部５０の底面５１に形成された開口５５に嵌合する大きさとなっている。このため、ユーザーは、筒状突起部４１ｉがホルダ受け部５０の底面５１を超えて開口５５に嵌合するように、少しだけ原料容器４０を持ち上げるだけで、原料容器４０をホルダ受け部５０上の正しい位置に載置することができる。したがって、本実施形態にかかるコーヒーメーカー１００では、ドリップ部１１に原料容器を載置するに当たって原料容器４０の上方を覆う蓋体３０が完全に開く必要はなく、図６および図７に示すように所定角度（一例として約５０度）の回動が行われれば、ドリップ部１１の所定位置に本体部１の側方から原料容器４０を載置することができる。
【００８６】
一方、上述のように、ホルダ受け分５０の底面５１は円環状に形成されると共に、底面５１の開口５５には、容器ホルダ４１の底面の筒状突起部４１ｉが嵌合するようになっている。また、原料容器４０においてドリップ部１１に装着された状態での奥側である、本体部１の内部側に向かって伸延する把持部４２ｄと４３ｇの上面には、平坦面４２ｅと４３ｈとがそれぞれ形成されている。この平坦面４２ｅと４３ｈとは、蓋体３０が閉塞した際には蓋体３０のヒンジ機構３３近傍に形成された押圧部材となる抑えリブ３９（図６、図７参照）によって押圧されるため、蓋体３０が原料容器４０を覆った状態でロックされれば、原料容器４０をドリップ部１１内でしっかりと保持することができ、手前側に外れてしまうことはない。
【００８７】
本実施形態のコーヒーメーカー１００では、ドリップ部１１の蓋体３０が完全に開かずに、図６および図７に示すように所定の角度（一例として約５０度）開いた状態で、容器ホルダ４１とこれに装着された原料保持部材とからなる原料容器４０をドリップ部１１に着脱することができる。このため、本実施形態のコーヒーメーカー１００では、従来のコーヒーメーカーと比べて本体部１内部への原料容器４０の装着が格段に容易であり、また、本体部１の側方から原料容器４０を着脱できるので、コーヒーメーカー１００の載置場所として低い位置を選ばなくてはならないという不都合が生じない。
【００８８】
次に、本実施形態のコーヒーメーカー１００における、蓋体３０のロック機構について説明する。
【００８９】
図１０は、本実施形態のコーヒーメーカーにおけるドリップ部を拡大して示した要部拡大図である。図１０（ａ）が、本体部の幅狭側面である一側面側から見た正面図である。また、図１０（ｂ）は、本体部の一側面側でかつ貯水タンクが並列配置されている側から見た斜視図である。
【００９０】
図１０（ａ）、図１０（ｂ）に示すように、本実施形態のコーヒーメーカー１００では、平面視円形状の蓋体３０の中心部３２を取り巻くように同軸状に形成された外周部３１が、中心部３２に対して所定の角度回動可能に配置されている。そして、外周部３１には、原料容器４０と対向する側である内側面に突出形成された係持ピン３８が形成されている。一方で、ホルダ受け部５０に載置された状態で原料容器４０の外殻をなす容器ホルダ４１の上部側面には、蓋体３０の径方向外側に向かって突出形成された第１の係持部材４１ｈが形成され、ホルダ受け部５０の上部には、第１の保持部材４１ｈに対向するように配置され、蓋体３０の径方向内側に向かって突出形成された第２の係持部材５６が形成されている。蓋体３０の係持ピン３８は、その断面形状が先端部である下端側が広がった逆Ｔ字状となっているため、第１の係合部材４１ｈと第２の係合部材５６とが対向している間隙部に入り込むことで、両係持部材４１ｈ、５６と係合して、蓋体３０を原料容器４０とホルダ受け部５０とに対して同時に、かつ、一体的に固着することができる。
【００９１】
また、ユーザーが蓋体３０の外周部３１を中心部３２に対して回動することで、蓋体３０と原料容器４０およびホルダ部材５０との係合を解除することができる。なお、このとき、バネなどの弾性部材を用いた付勢手段によって、蓋体３０の外周部３１が係合状態を維持できる位置に留まるように付勢することで、ユーザーが蓋体３０のロックとロック解除とをより容易に行うことができるようにすることができる。また、蓋体３０のヒンジ機構部３３に、蓋体３０が開いた状態となる方向に維持する付勢手段を設けることで、ユーザーが蓋体３０のロックを解除した際の蓋体３０の開放を容易に行うことができるようにすることができる。
【００９２】
本実施形態のコーヒーメーカー１００では、上述のように蓋体３０が原料容器４０に対して押しつけられる方向に係合される係合手段を備えているため、蓋体３０を閉じた状態において、蓋体３０の内側面に形成された中央パッキン３６と環状パッキン３７（図３参照）とが、原料容器４０の上面部分に密着するようになる。このため、抽出原料としてポッドタイプのコーヒー粉末を用いる場合には、蓋体３０の内側面に形成された中央パッキン３６（図３参照）がポッドの上面中央分部に押圧される。また、蓋体３０の内側面に形成された環状パッキン３７（図３参照）がポッド用アダプタ４２の上面に形成されたつば部４２ｂ（図８参照）に押圧される。一方、抽出原料として挽かれたコーヒー粉末をそのまま用いる場合には、蓋体３０の内側面に形成された中央パッキン３６が散水板４３の中央部分に形成された上方突出部４３ｄ（図９参照）の上面に押圧される。また、蓋体３０の内側面に形成された環状パッキン３７が、散水板４３の上面４３ａ（図９参照）に押圧される。このようにして、抽出原料としていずれを用いた原料容器４０の場合でも、蓋体３０の内側面と原料容器の上面とを十分な強さで密着固定することができる。
【００９３】
この結果、本実施形態のコーヒーメーカー１００では、蓋体３０の吐出口３５から、高圧で蒸気や湯が噴射されても、蒸気漏れ、湯漏れが生じずに、所定の抽出工程の条件に即してコーヒーを抽出することができる。
【００９４】
なお、図８、図９に図示したように、原料容器４０ａの場合はポッド用ホルダ４２の把持部４２ｄの裏側部分先端部中央に、また、原料容器４０ｂの場合は散水板４３の把持部４３ｇの裏側部分先端部中央に、いずれも底面側に突出した検出突起４５が形成されている。この検出突起４５に対応する位置の本体部１内部に、検出突起４５の存在を検出可能な検出手段を備えることで、ドリップ部１１に正しく原料容器４０が載置されていることを検出することが可能となる。このため、検出突起４５を検出可能な検出手段からの検出信号を制御部に送信可能とすることで、制御部において、正しく原料容器４０が載置されていない場合には抽出工程を開始しないようにするなどの安全対策を採ることが可能となる。
【００９５】
以上説明したように、本実施形態にかかるコーヒーメーカーは、抽出原料を収容する原料容器と、原料容器を保持する容器保持部と、原料容器の上方を開閉可能に覆う蓋体とで飲料抽出部が構成され、蓋体が原料容器と容器保持部とに一体的に固着可能な構成を備えている。このため、本実施形態のコーヒーメーカーは、抽出装置への抽出原料の載置と取り外しとを容易に行うことができる。
【００９６】
なお、上記実施形態では、蓋体に形成された係合ピンが、原料容器に形成された第１の係合部と容器保持部に形成された第２の保持部との間に配置されることで、２つの係合部と一体的に係合する形態を説明したが、本開示にかかる飲料抽出装置は、この構成に限られない。蓋体が、原料容器と容器保持部とのいずれかの部材のみと直接係合し、他方の部材と間接的に係合するのではなく、蓋体と原料容器、および、蓋体と容器保持部とがそれぞれ直接、かつ、同時に係合する構成であれば、それぞれの部材に配置された係合部材として各種形状のものを採用することができる。また、蓋体において、原料容器との係合部材と容器保持部との係合部材とが別々の場所に配置されている形態でもかまわない。
【００９７】
さらに、上記実施形態では、蓋体の一部が回動することで、原料容器と容器保持部との係合が行われる形態を説明したが、蓋体と原料および容器保持部との係合とその解除が、蓋体の回動によらない構成とすることもできる。この場合には、適宜弾性部材で付勢されたレバー状の係合部材を設けるなど、従来から用いられている各種の係合機構を採用することができる。
【００９８】
また、上記実施形態では、飲料抽出装置であるコーヒーメーカーの一側面に対して側方から原料容器を容器保持部に直接載置可能な構成の例について説明したが、原料容器の容器保持部への載置は、側方からのものに限られず、また、直接的にではなく、例えば容器収容部を覆う扉状の保護部材を開いて原料容器を載置する構成とすることができる。
【００９９】
なお、上記実施形態では、飲料抽出装置としてコーヒー粉体からレギュラーコーヒーを抽出するコーヒーメーカーを例示して説明したが、本願で開示する飲料抽出装置としては、紅茶や日本茶、ウーロン茶などの茶葉を用いていわゆるお茶を抽出する飲料抽出装置としても実現することができる。さらに、ココアなどの粉体を用いて飲料を抽出するもの、味噌などのペースト状の部材を用いて味噌汁を抽出するもの、その他、各種の汁物やスープを抽出するものなど、各種の飲料を抽出する飲料抽出装置を実現することができる。
【０１００】
また、飲料抽出装置としてのコーヒーメーカーである場合でも、上記実施形態で説明したポッドタイプの容器に収容されたコーヒー粉体と、挽かれたコーヒー粉体との両方を用いて抽出することができるコーヒーメーカーには限られず、ポッドタイプ専用、または、フィルタ方式専用のコーヒーメーカーや、さらに別の形態で保持されたコーヒー粉体からコーヒーを抽出することができるコーヒーメーカーにも適用することができる。
【０１０１】
さらにまた、抽出できる飲料の容量も、一杯の飲料を抽出するものには限られず、数杯程度まで複数杯分の飲料を抽出可能な飲料抽出装置として実現することができる。
【０１０２】
なお、本開示にかかる飲料抽出装置において、貯水タンクから水を加熱部に送水する方法として、例示した送水ポンプを備えた構成には限られず、加熱された水や生成される蒸気の作用によって、湯を飲料抽出部へと供給する方式としても実現することができる。さらに、本開示にかかる飲料抽出装置は、制御回路を備えて自動的に実行される所定の抽出工程によって飲料を抽出するものに限らず、貯水タンクから供給された水を全て加熱して抽出原料に供給する形態の飲料抽出装置としても実現することができる。
【産業上の利用可能性】
【０１０３】
本開示にかかる飲料抽出装置は、装置全体の小型化と構成の簡素化を図ることができ、低コストで操作性の高い飲料抽出装置として有用である。
【符号の説明】
【０１０４】
１    本体部
２    貯水タンク
１１    ドリップ部（飲料抽出部）
２４    ボイラー部（加熱手段）
３０    蓋体
３５    吐出口
４０（４０ａ、４０ｂ）    原料容器
５０    ホルダ支持部（容器保持部）
１００    コーヒーメーカー（飲料抽出装置）
【図１】
0006547383.tif 000002
【図２】
0006547383.tif 000003
【図３】
0006547383.tif 000004
【図４】
0006547383.tif 000005
【図５】
0006547383.tif 000006
【図６】
0006547383.tif 000007
【図７】
0006547383.tif 000008
【図８】
0006547383.tif 000009
【図９】
0006547383.tif 000010
【図１０】
0006547383.tif 000011